(57)【要約】材料ウェブ（３３，３４，３６，３７）を引込む装置において、材料ウェブの側縁部（４２）を介して側方に突出した部分（５９）が、縦せん断装置（２１）によって少なくとも１度、縦に切り離される。このために用いられる装置に関する。
2004521049.tif 000002
【特許請求の範囲】
【請求項１】
ウェブ（３３；３４；３６；３７）を、該ウェブの側縁部（４２）の整列ライン（６１）を越えて側方に突出する、ウェブ先端（４１）の始端部（５９）をもって、ウェブを処理する作業機械内へ引き込む方法であって、ウェブ先端（４１）の始端部（５９）を引込み手段（３９）から切り離す方法において、切り離された始端部（５９）をコンベヤシステム（５２；５３）によって把持し、搬出することを特徴とする方法。
【請求項２】
ウェブ（３３；３４；３６；３７）を、該ウェブの側縁部（４２）の整列ライン（６１）を越えて側方に突出する、ウェブ先端（４１）の始端部（５９）をもって、ウェブを処理する作業機械内へ引き込む方法であって、ウェブ先端（４１）の始端部（５９）を引込み手段（３９）から切り離す方法において、引込み手段（３９）とウェブ（３３；３４；３６；３７）との間でストリップ（５９）を切り離すことを特徴とする方法。
【請求項３】
切り離された始端部（５９）を廃棄ステーション（５４）に引き渡す、請求項１又は２記載の方法。
【請求項４】
ウェブ（３３；３４；３６；３７）を、該ウェブの側縁部（４２）の整列ライン（６１）を越えて側方に突出する、ウェブ先端（４１）の始端部（５９）をもって、ウェブを処理する作業機械内へ引き込む装置であって、ウェブ先端（４１）の始端部（５９）を引込み手段（３９）から切り離すせん断装置（２１）が配置されている形式のものにおいて、せん断装置（２１）が製造方向で見て、縦折りフォーマのフォーマ挿入ローラの前に配置されていることを特徴とする装置。
【請求項５】
ウェブ（３３；３４；３６；３７）を、該ウェブの側縁部（４２）の整列ライン（６１）を越えて側方に突出する、ウェブ先端（４１）の始端部（５９）をもって、ウェブを処理する作業機械内へ引き込む装置であって、ウェブ先端（４１）の始端部（５９）を引込み手段（３９）から切り離すせん断装置（２１）が配置されている形式のものにおいて、せん断装置（２１）が、サイドフレームに堅固に支承された駆動可能なガイドローラ（０１）の端部（０７）で、しかもウェブ幅の外側に配置されていることを特徴とする装置。
【請求項６】
せん断装置が縦せん断装置として構成されている、請求項４又は５記載の装置。
【請求項７】
縦せん断装置（２１）が少なくとも１つの上方のせん断カッタ（２２，４７）及び少なくとも１つの下方の対抗せん断カッタ（２７，２８）から成っている、請求項６記載の装置。
【請求項８】
上方のせん断カッタ（２２；４７）の駆動装置（３１，２８，２９，２６）、及び下方の対抗せん断カッタ（２７，４８）の駆動装置（３１，２８，２９，１３，１１）が、ガイドローラ（０１）の駆動装置（１８，１６，３２）により駆動せしめられる、請求項６記載の装置。
【請求項９】
縦せん断装置（２１）のせん断カッタ（２２；４７）の周速度及び縦せん断装置（２１）の対抗せん断カッタ（２７，４８）の周速度が、ガイドローラ（０１）の周速度よりも大きい、請求項６記載の装置。
【請求項１０】
ウェブ（３３；３４；３６；３７）を、該ウェブの側縁部（４２）の整列ライン（６１）を越えて突出する、ウェブ先端（４１）の始端部（５９）をもって、ウェブを処理する作業機械内へ引き込む装置であって、ウェブ先端（４１）の始端部（５９）を引込み手段（３９）から切り離すせん断装置（２１）が配置されている形式のものにおいて、引込み装置（３９）に付加的に、切り離される始端部（５９）を把持するコンベヤシステム（５２；５３）が配置されていることを特徴とする装置。
【請求項１１】
ウェブ（３３；３４；３６；３７）を、該ウェブの側縁部（４２）の整列ライン（６１）を越えて突出する、ウェブ先端（４１）の始端部（５９）をもって、ウェブを処理する作業機械内へ引き込む装置であって、ウェブ先端（４１）の始端部（５９）を引込み手段（３９）から切り離すせん断装置（２１）が配置されている形式のものにおいて、切り離される始端部（５９）を廃棄する廃棄ステーション（５４）が配置されていることを特徴とする装置。
【発明の詳細な説明】
【０００１】
材料ウェブを引き込む方法及び装置
本発明は請求項１，２，４，５，１０又は１１の上位概念部に記載の材料ウェブを引込む方法及び装置に関する。
【０００２】
ドイツ連邦共和国特許第１９６２１５０７号明細書により、ウェブ輪転印刷機内の紙ウェブ引込み装置によって引込まれる紙ウェブが公知である。
【０００３】
ドイツ連邦共和国特許出願公開第２６５７７８９号明細書に記載の紙ウェブを引込むための装置では、ウェブの引込み先端が縦折りフォーマに隣接するせん断装置によって引込み手段から切り離される。
【０００４】
本発明の課題は、材料ウェブを引き込む方法及び装置を提供することである。
【０００５】
この課題は本発明の請求項１，２，４，５，１０または１１に記載の特徴により解決される。
【０００６】
本発明により得られる利点は特に次の点にある。すなわち、材料ウェブの自動的な引込み後に、固定手段、例えば一体形成された紙ウェブ先端が、引込み手段、例えば引込みチェーンから、作業機械、例えばウェブ輪転印刷機の前選択可能な位置で自動的に切り離されることである。
【０００７】
切り離しは所定の位置、例えば縦折りフォーマの、材料ウェブの挿入部の前に設けられた統合ローラにおいて行われる。したがって引込み速度を高めることができる。
【０００８】
次に本発明の実施例を図面に基づき詳しく説明する。
【０００９】
ガイドローラ０１、例えば紙ガイドローラ０１が両側でサイドフレーム０２；０３に支承されている。胴有効幅長さａを備えた紙ガイドローラ０１の左の端部０４が、ジャーナル０６によりサイドフレーム０２内に回転可能に支承されている。これに対して、紙ガイドローラ０１の右の端部０７は延長されたジャーナル０８を有しており、このジャーナル０８は軸受０９、例えば玉軸受け０９により、サイドフレームに堅固に支承されており、ジャーナル０８に対して同軸的に配置されたスリーブ１１内で保持されている。スリーブ１１の、ローラから離れた方の端部１２はサイドフレーム０３から突出しており、かつ歯車１３を備えている。ジャーナル０８の、ローラから離れた方の端部１４もまたスリーブ１１から突出しており、ブシュ１６を介してモータ１８、例えば電動モータ１８の駆動軸１７に回動不能に結合されている。モータ１８は、サイドフレーム０３の、ローラから離れた方の側面に固定されているケーシング１９の外側面にフランジ止めされている。
【００１０】
胴有効幅長さａの外側で、しかも紙ガイドローラ０１の端部０７に設けられた縦せん断装置２１が、少なくとも１つの上方のせん断カッタ２２，例えば円形カッタ２２から成っている。この円形カッタ２２はジャーナル０８に対して軸平行に延びる、サイドフレーム０３内において支承されていて、かつサイドフレーム０３の、ローラに近い方の側面に固定されたケーシング２４の壁部２３内においても支承されている、駆動可能な軸２６に固定されている。
【００１１】
せん断カッタ２２のブレードは、例えばスリーブ１１のローラ近くの端部に設けられた、せん断リングの形の下方の対抗せん断カッタ２７と協働する。
【００１２】
紙ガイドローラ０１はジャーナル０８を介してモータ１８により常時駆動可能である。軸２６に配置された上方のせん断カッタ２２ならびにスリーブ１１に配置された下方の対抗せん断カッタ２７もまた、ルーズ継手２８、例えば電磁継手２８により駆動することができる。
【００１３】
継手２８はケーシング１９の内側の、軸２６に固定された歯車２９と、軸２６に回転可能に支承された歯車３１との間に設けられている。歯車３１はブシュ１６に回動不能に配置された歯車３２と噛み合っている。軸受は全て符号０９で示す。
【００１４】
縦せん断装置２１の機能形式は以下の通りである：
モータ１８をスイッチオンすることによって紙ガイドローラ０１が駆動される。同時にブシュ１６に設けられた歯車３２が回転し、軸２６で自由に回転可能な歯車３１と噛み合う。継手２８のスイッチオン後に軸２６は上方のせん断カッタ２２と共に回転を始める。同時に、軸２６に固定配置された歯車２９の回転モーメントが、スリーブ１１に固定された歯車１３に伝達され、これにより、下方の対抗せん断カッタ２７もまた一緒に駆動される。
【００１５】
継手２８のスイッチオンは図示していないセンサにより行うことができる。この場合、スイッチオン継続時間は時間的に制限されている。
【００１６】
縦せん断装置２１又は縦せん断装置２１を備えた紙ガイドローラ０１が、製造方向で見て、例えば図示していない、縦折りフォーマのフォーマ挿入ローラの前に配置されており、前記紙ガイドローラ０１は縦折りフォーマ内に挿入される材料ウェブ３３；３４；３６；３７、例えば紙ウェブ３３；３４；３６；３７のための統合ローラとして働く。紙ウェブ３３；３４；３６；３７は引込み行程の間にそれぞれ別個に、例えばサイドフレームに堅固に組み込まれたガイドレール３８内をガイドされる引込み手段３９、例えば駆動された有端のローラチェーン３９によって、それぞれ異なる時点で紙ガイドローラ０１へガイドされる。この場合、紙ウェブ３３；３４；３６；３７の先端はそれぞれ、固定手段４１、例えば接着された、又は一体形成された紙ウェブ先端４１を有しており、この紙ウェブ先端４１の始端部５９は側方で、紙ウェブ３３；３４；３６；３７の側縁部４２若しくは側縁部４２の整列ライン６１を越えて突出し、ひいては紙ガイドローラ０１の胴有効幅長さａの範囲を越える。紙ウェブ先端４１の始端部５９はローラチェーン３９の延長されたリンクピン４３に固定される。
【００１７】
連結され、ひいては駆動された縦せん断装置２１に紙ウェブ先端４１が到達すると、生ぜしめられた（破線で示した）せん断ライン４４により区切られ、かつリンクピン４３に固定された部分４６は、縦方向すなわち製造方向で紙ウェブ先端４１から切り離され、ローラチェーン３９によって廃棄される。
【００１８】
せん断カッタ２２と対抗せん断カッタ２７とのせん断ライン４４は紙ウェブ３３；３４；３６又は３７の外側の、側縁部４２に直接的に隣接して延びている。引込み手段３９としてベルトシステムを使用することも可能である。
【００１９】
本発明の第２の実施例によると、軸２６には間隔ｃを置いて、ローラから離れた第２の上方のせん断カッタ４７が配置されている。この第２の上方のせん断カッタ４７はスリーブ１１に設けられた下方の対抗せん断カッタ４８と協働する。せん断カッタ４７及び対抗せん断カッタ４８は、既に述べたせん断カッタ２２及び対抗せん断カッタ２７と同じように形成されている。
【００２０】
紙ウェブ先端４１の挿入後、駆動された縦せん断装置２１によって紙ウェブ先端４１からほぼ台形状のストリップ４９が切り離される。このストリップ４９はせん断カッタ２２と対抗せん断カッタ２７との公知のせん断ライン４４によって、及びせん断カッタ４７と対抗せん断カッタ４８とによりさらに生ぜしめられる、前記せん断ライン４４に対して平行に延びる（破線で図示した）せん断ライン５１とによって、縦に区切られている。（図３）
せん断ライン４４；５１は、紙ウェブ３３；３４；３６；３７の側縁部４２もリンクピン４３も破損しないような形で延びている。
【００２１】
このストリップ４９、又は引込み手段３９に固定された部分４６は、本発明の別の構成によると、ストリップ４９を把持する若しくは挟み込む、２つのエンドレスコンベヤ又はエンドレスベルトシステム５２；５３によって、例えば廃棄ステーション５４へガイドされる。前記廃棄ステーション５４は、例えば前置された粉砕機を備えた吸引装置（図示していない）から成っていてよい。
【００２２】
コンベヤ又はベルトシステム５２；５３は伝動ベルトにより、それぞれせん断カッタ２２と対抗せん断カッタ２７との間をガイドされるか、若しくはせん断カッタ４７と対抗せん断カッタ４８との間をガイドされており、それぞれ変向ローラ５５；５６並びに駆動及び緊締ステーション５７；５８を介して走行する。
【００２３】
縦せん断装置２１の駆動部に設けられた歯車３１；３２は、せん断カッタ２２の周速度及び対抗せん断カッタ２７の周速度、若しくはせん断カッタ４７の周速度及び対抗せん断カッタ４８の周速度が、紙ガイドローラ０１の周速度よりもほぼ１０％大きくなるように寸法取りされている。
【００２４】
紙ウェブ先端４１の始端部５９は、相前後してかつ任意の連続で紙ウェブ３３；３４；３６；３７から切り離すことができる。
【００２５】
第３の実施例によると、せん断カッタ２２と対抗せん断カッタ２７とによってせん断ライン４４を生ぜしめ、紙ウェブ先端４１の、リンクピン４３に固定された部分４６のみをリンクピン４３から切り離すことも可能である。この切り離しは、リンクピン４３がこのリンクピン４３の自由な長さまで上昇していて、かつサイドフレームに固定された乗り上げ斜面を通過することによって行われる。
【００２６】
【図面の簡単な説明】
【図１】
軸受位置を有していない装置の概略的な側面図である。
【図２】
軸受位置を備えた図１の装置の前面図であり、しかも上方のせん断カッタの軸線を中心としてガイドローラの軸線を回転させた状態で示す図である。
【図３】
引込み手段を固定手段の先端とともに拡大して示す図である。
【符号の説明】
０１  ガイドローラ、  紙ガイドローラ、  ０２  サイドフレーム、  ０３  サイドフレーム、  ０４  左側の端部（０１）、  ０６  ジャーナル（０１）、  ０７  右側の端部（０１）、  ０８  ジャーナル、  ０９  軸受、玉軸受け、  １１  スリーブ、  １２  端部（１１）、  １３  歯車、  １４  端部（０８）、  １６  ブシュ、  １７  駆動軸、  １８  モータ、電動モータ、  １９  ケーシング、  ２１  縦せん断装置、  ２２  上方のせん断カッタ、円形カッタ（２１）、  ２３  壁部（２４）、  ２４  ケーシング、  ２６  軸、  ２７  下方の対抗せん断カッタ、  ２８  継手、電磁継手、  ２９  歯車（２６）、  ３１歯車（２６）、  ３２  歯車（１６）、  ３３  材料ウェブ、紙ウェブ、  ３４  材料ウェブ、紙ウェブ、  ３６  材料ウェブ、紙ウェブ、  ３７  材料ウェブ、紙ウェブ、  ３８  ガイドレール（０３）、  ３９  引込み手段、ローラチェーン（３８）、  ４１  固定手段、ウェブ先端（３３；３４；３６；３７）、  ４２  側縁部（３３；３４；３６；３７）、  ４３  リンクピン（３９）、  ４４  せん断ライン（２２；２７）、  ４６  部分（５９）、  ４７  上方のせん断カッタ、  ４８  下方の対抗せん断カッタ、  ４９  ストリップ（５９）、  ５１  せん断ライン（２２；２７）、  ５２  コンベヤ又はベルトシステム、  ５３  コンベヤ又はベルトシステム、  ５４  廃棄ステーション、  ５５  変向ローラ（５２）、  ５６  変向ローラ（５３）、  ５７  駆動及び緊締ステーション、  ５８  駆動及び緊締ステーション、  ５９  始端部（４１）、  ６１  整列ライン（４２）、  ａ  胴有効幅長さ、  ｃ  間隔、幅
【国際公開パンフレット】
2004521049.tif 000003
2004521049.tif 000004
2004521049.tif 000005
2004521049.tif 000006
2004521049.tif 000007
2004521049.tif 000008
2004521049.tif 000009
2004521049.tif 000010
2004521049.tif 000011
2004521049.tif 000012
2004521049.tif 000013
2004521049.tif 000014
2004521049.tif 000015
2004521049.tif 000016
2004521049.tif 000017
2004521049.tif 000018
2004521049.tif 000019
【国際調査報告】
2004521049.tif 000020
2004521049.tif 000021
2004521049.tif 000022
2004521049.tif 000023